【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
医療器具であって、
第１状態と第２状態との間を相互に移動可能である拡張式エネルギー送達アレイであって、
第１基端部分と、第１先端部分と、前記第１基端部分及び第１先端部分の間を延びる１つ又は複数の第１エネルギー伝達要素とを有している第１アセンブリと、
第２基端部分と、第２先端部分と、前記第２基端部分及び第２先端部分の間を延びる１つ又は複数の第２エネルギー伝達要素とを有している第２アセンブリと、を有している拡張式エネルギー送達アレイを備えており、
前記第２基端部分は前記第１基端部分の基端側に位置し、前記第２先端部分は前記第１先端部分の先端側に位置している医療器具。
【請求項２】
前記第１アセンブリと第２アセンブリとが互いから電気的に絶縁されている、請求項１に記載の医療器具。
【請求項３】
前記第１基端部分と第２基端部分とが絶縁要素によって隔てられている、請求項１又は２に記載の医療器具。
【請求項４】
前記第１基端部分と第２基端部分とが前記絶縁要素によって長手方向に隔てられている、請求項３に記載の医療器具。
【請求項５】
前記第１先端部分と第２先端部分とが絶縁要素によって長手方向に隔てられている、請求項１乃至４のいずれか一項に記載の医療器具。
【請求項６】
前記第１エネルギー伝達要素と第２エネルギー伝達要素とが、前記医療器具の長手方向軸線を基準として径方向において互いに交互に配置されている、請求項１乃至５のいずれか一項に記載の医療器具。
【請求項７】
前記第２エネルギー伝達要素が、前記第２先端部分の径方向外側面に設けられた切り欠き部を通って延びている、請求項１乃至６のいずれか一項に記載の医療器具。
【請求項８】
前記第１エネルギー伝達要素が、前記エネルギー送達アレイの長手方向軸線から前記第２エネルギー伝達要素よりも遠い位置に配置されている、請求項１乃至７のいずれか一項に記載の医療器具。
【請求項９】
前記第２アセンブリが、体組織を介して前記第１アセンブリにエネルギーを送達するように構成されている、請求項１乃至８のいずれか一項に記載の医療器具。
【請求項１０】
前記医療器具の基端から前記第１アセンブリ及び第２アセンブリを通って延びる作動要素をさらに備えており、
前記作動要素が前記第２先端部分に連結されている、請求項１乃至９のいずれか一項に記載の医療器具。
【請求項１１】
前記作動要素の長手方向の移動が、前記エネルギー送達アレイを前記第１状態と第２状態との間にて相互に移動させるように構成されており、
前記第１状態が収縮状態であり、前記第２状態が径方向における拡張状態である、請求項１０に記載の医療器具。
【請求項１２】
前記作動要素が前記第２アセンブリにＲＦエネルギーを送達するように構成されている、請求項１０に記載の医療器具。
【請求項１３】
前記第１エネルギー伝達要素及び第２エネルギー伝達要素のそれぞれが、基端部及び先端部において絶縁領域により画定されたアクティブ領域を有しており、
前記アクティブ領域は、体組織に接触したときに該体組織にＲＦエネルギーを送達するように構成されており、
前記絶縁領域はいかなる時点においても体組織にＲＦエネルギーを送達することがないように構成されている、請求項１乃至１２のいずれか一項に記載の医療器具。
【請求項１４】
少なくとも１つの前記第１エネルギー伝達要素及び第２エネルギー伝達要素のアクティブ領域が、該アクティブ領域又は体組織の温度を検知するように構成されている少なくとも１つの温度検知要素を有している、請求項１３に記載の医療器具。
【請求項１５】
前記エネルギー送達アレイは、バイポーラ構成にて体組織にエネルギーを送達するように構成されている、請求項１乃至１４のいずれか一項に記載の医療器具。
【請求項１６】
医療器具であって、
第１状態と第２状態との間を相互に移動可能である拡張式エネルギー送達アレイであって、
１つ又は複数の第１エネルギー伝達要素と、
１つ又は複数の第２エネルギー伝達要素と、を有している拡張式エネルギー送達アレイを備えており、
前記１つ又は複数の第１エネルギー伝達要素は、前記エネルギー送達アレイの長手方向軸線の周りで前記１つ又は複数の第２エネルギー伝達要素と径方向において交互に配置され、
前記１つ又は複数の第１エネルギー伝達要素は、前記エネルギー送達アレイの長手方向軸線から前記１つ又は複数の第２エネルギー伝達要素よりも遠く離れている医療器具。
【請求項１７】
前記医療器具の基端から先端に向かって延びる作動要素をさらに備えており、
前記作動要素が、前記１つ又は複数の第２エネルギー伝達要素にエネルギーを送達するように構成されている、請求項１６に記載の医療器具。
【請求項１８】
医療器具であって、
第１状態と第２状態との間を相互に移動可能である拡張式電極アセンブリであって、
第１の部分的筒状部材に形成された長手方向に延びる第１の複数の脚部と、
第２の部分的筒状部材に形成された長手方向に延びる第２の複数の脚部と、
前記第１の部分的筒状部材の第１端部と前記第２の部分的筒状部材の第１端部とによって形成された第１端部分と、
前記第１の部分的筒状部材の第２端部と前記第２の部分的筒状部材の第２端部とによって形成された第２端部分と、を有している拡張式電極アセンブリを備えており、
前記第２の部分的筒状部材の一部が前記第１の部分的筒状部材の一部に受容されるように構成されている医療器具。
【請求項１９】
前記第１の部分的筒状部材の脚部が前記第２の部分的筒状部材の脚部と周方向において交互に配置されている、請求項１８に記載の医療器具。
【請求項２０】
前記第１の部分的筒状部材及び第２の部分的筒状部材の第１端部が略Ｃ字状であり、
前記第１端部分は、前記第１の部分的筒状部材の第１端部によって部分的に画定された空間に、前記第２の部分的筒状部材の第１端部を挿入することによって形成されている、請求項１８に記載の医療器具。
【請求項２１】
前記第２の部分的筒状部材の一部が前記第１の部分的筒状部材の一部に受容されると、長手方向に延びる前記第１及び第２の複数の脚部が拡張式バスケットを形成する、請求項２０に記載の医療器具。
【請求項２２】
前記第２端部分が、前記第１端部分を越えて長手方向に延びるオフセット部をさらに有している、請求項２０に記載の医療器具。
【請求項２３】
前記第１端部分及び第２端部分を通って配置された作動要素をさらに備えており、
前記作動要素が、前記第１状態から前記第２状態へと前記複数の脚部を径方向外側に移動させ、また逆に前記第１状態に戻すように構成されている、請求項１８に記載の医療器具。
【請求項２４】
前記作動要素が導電性を有しており、長手方向に延びる前記第１及び第２の複数の脚部の少なくとも１つに電気エネルギーを送達するように構成されている、請求項２３に記載の医療器具。
【請求項２５】
長手方向に延びる前記第１及び第２の複数の脚部のそれぞれが、
第１絶縁部と、
第２絶縁部と、
前記第１絶縁部と第２絶縁部との間に位置する露出している導電部と、を有している、請求項１８に記載の医療器具。
【請求項２６】
前記第１端部分及び第２端部分が絶縁されている、請求項２５に記載の医療器具。
【請求項２７】
前記第２の部分的筒状部材の第２端部が、第１Ｃ字状部と第２Ｃ字状部との間において周方向に延びる間隙を有しており、
長手方向に延びる前記第２の複数の脚部の少なくとも１つが、前記第１Ｃ字状部から延びており、
長手方向に延びる前記第２の複数の脚部の少なくとも１つが、前記第２Ｃ字状部から延びている、請求項１８に記載の医療器具。
【請求項２８】
前記第１の部分的筒状部材の第１端部が、第１Ｃ字状部と第２Ｃ字状部との間において周方向に延びる間隙を有しており、
長手方向に延びる前記第１の複数の脚部の少なくとも１つが、前記第１の部分的筒状部材の第１Ｃ字状部から延びており、
長手方向に延びる前記第１の複数の脚部の少なくとも１つが、前記第１の部分的筒状部材の第２Ｃ字状部から延びている、請求項２７に記載の医療器具。
【請求項２９】
前記第１端部分が、該第１端部分の周方向端部の間に位置するとともに長手方向に延びる第１間隙をさらに有しており、
前記第２端部分が、該第２端部分の周方向端部の間に位置するとともに長手方向に延びる第２間隙をさらに有している、請求項１８に記載の医療器具。
【請求項３０】
前記第１又は第２の複数の脚部の少なくとも１つの脚部の周りに配置されたチューブをさらに備えている、請求項２９記載の医療器具。
【請求項３１】
前記第１の部分的筒状部材の第１端部及び第２端部のいずれか一方に位置するとともに長手方向に延びる第３間隙をさらに備えており、
バスケットが拡張状態にあるときに、前記チューブが長手方向に延びる前記第３間隙内を通って延びている、請求項３０に記載の医療器具。
【請求項３２】
長手方向に延びる前記第１間隙又は第２間隙を通って配置されたエンドキャップをさらに備えており、該エンドキャップが、前記第２の部分的筒状部材に対する前記第１の部分的筒状部材の回転を防止するように構成されている、請求項３１に記載の医療器具。
【請求項３３】
医療器具であって、
第１の部分的筒状部材であって、
第１端部と、
第２端部と、
前記第１の部分的筒状部材の第１端部と第２端部との間を延びる第１の複数の脚部と、を有している第１の部分的筒状部材と、
第２の部分的筒状部材であって、
第１端部と、
第２端部と、
前記第２の部分的筒状部材の第１端部と第２端部との間を延びる第２の複数の脚部と、を有している第２の部分的筒状部材と、を備えており、
前記第１の部分的筒状部材の第１端部と、前記第２の部分的筒状部材の第１端部とが互いに連結されており、
前記第１の部分的筒状部材の第２端部と、前記第２の部分的筒状部材の第２端部とが互いに連結されており、
前記第１及び第２の複数の脚部が、前記医療器具の長手方向軸線の周りに配置されている医療器具。
【請求項３４】
前記第１の部分的筒状部材の脚部が周方向において前記第２の部分的筒状部材の脚部と交互に配置されている、請求項３３に記載の医療器具。
【請求項３５】
前記第１及び第２の部分的筒状部材の第１端部及び第２端部がＣ字状である、請求項３３に記載の医療器具。
【手続補正２】
【補正対象書類名】明細書
【補正対象項目名】発明の名称
【補正方法】変更
【補正の内容】
【発明の名称】医療器具